(57)【要約】【課題】電子帳票に対して誤って設定されたマスタ情報を検知することができる誤設定検知システム及び誤設定検知方法を提供することである。【解決手段】実施形態の誤設定検知システムは、マスタ記憶部と設定部と送信制御部とを持つ。マスタ記憶部は、電子帳票の入力項目の定義を示す帳票定義情報毎に、前記帳票定義情報で用いられる１以上の項目情報の組み合せであるマスタ情報を、前記マスタ情報を示すクラスタＩＤと対応付けて記憶する。設定部は、前記帳票定義情報に設定された前記クラスタＩＤに対応する前記マスタ情報に含まれる前記項目情報を前記帳票定義情報に設定し、表示装置に表示させる。送信制御部は、前記クラスタＩＤに対応する前記マスタ情報を前記設定部へ送信する。【選択図】図１
2018067152.tif 000002
【特許請求の範囲】
【請求項１】
電子帳票の入力項目の定義を示す帳票定義情報毎に、前記帳票定義情報で用いられる１以上の項目情報の組み合せであるマスタ情報を、前記マスタ情報を示すクラスタＩＤと対応付けて記憶するマスタ記憶部と、
前記帳票定義情報に設定された前記クラスタＩＤに対応する前記マスタ情報に含まれる前記項目情報を前記帳票定義情報に設定し、表示装置に表示させる設定部と、
前記クラスタＩＤに対応する前記マスタ情報を前記設定部へ送信する送信制御部と、
を備える、誤設定検知システム。
【請求項２】
前記帳票定義情報に設定された前記項目情報が所定の条件を満たすか否か判定する判定部を備える、
請求項１に記載の誤設定検知システム。
【請求項３】
電子帳票の入力項目の定義を示す帳票定義情報毎に、前記帳票定義情報で用いられる１以上の項目情報の組み合せであるマスタ情報を、前記マスタ情報を示すクラスタＩＤと対応付けて記憶するマスタ記憶部と、
前記帳票定義情報に設定された前記クラスタＩＤに対応する前記マスタ情報に含まれる前記項目情報を前記帳票定義情報に設定し、表示装置に表示させる設定部と、
前記クラスタＩＤに対応する前記マスタ情報を前記設定部へ送信する送信制御部と、
前記帳票定義情報に設定された前記項目情報と前記帳票定義情報に予め定義されている項目情報とが所定の条件を満たすか否か判定する判定部と、
を備える、誤設定検知システム。
【請求項４】
前記誤設定検知システムは、前記帳票定義情報を記憶する帳票記憶部をさらに備える、
請求項１から３のいずれか一項に記載の誤設定検知システム。
【請求項５】
前記帳票定義情報に設定された前記クラスタＩＤに対応する前記マスタ情報に含まれる前記項目情報を前記帳票定義情報に設定し、表示装置に表示させる設定部を備える、連携装置。
【請求項６】
電子帳票の入力項目の定義を示す帳票定義情報毎に、前記帳票定義情報で用いられる１以上の項目情報の組み合せであるマスタ情報を、前記マスタ情報を示すクラスタＩＤと対応付けて記憶するマスタ記憶ステップと、
前記帳票定義情報に設定された前記クラスタＩＤに対応する前記マスタ情報に含まれる前記項目情報を前記帳票定義情報に設定し、表示装置に表示させる設定ステップと、
前記クラスタＩＤに対応する前記マスタ情報を前記設定ステップへ送信する送信制御ステップと、
を備える、誤設定検知システムが実行する誤設定検知方法。
【発明の詳細な説明】
【技術分野】
【０００１】
本発明の実施形態は、誤設定検知システム、連携装置及び誤設定検知方法に関する。
【背景技術】
【０００２】
ビルの設備点検業務では、点検者は、点検結果を紙の点検帳票にペンで記録する。点検結果は、紙の点検帳票からパソコン等に入力され、管理される。しかし、この方法には、記入漏れ、読み取りミス、データ入力工数及び入力ミス等の課題が存在する。これらの課題を解決するため、紙の点検帳票を電子帳票化したシステムも存在する。
このシステムは、電子帳票単位でデータ管理を行う。しかし、このシステムでは、点検結果を設備ごとに時系列で分析することは難しい。一方、データ管理及び分析に優れたデータ管理分析システムが存在する。しかし、データ管理分析システムは、紙の点検帳票をタブレット端末等で使える機能を有していない。
そこで、２つのシステムを連携させることで、点検結果を分析する方法が考えられる。２つのシステムを連携させるためには、データ管理分析システムが有するマスタ情報を電子帳票に設定する必要がある。しかし、点検者が、設定を誤ったまま点検業務を行うと、分析を行う際に誤った結果となる可能性があった。
【先行技術文献】
【特許文献】
【０００３】
【特許文献１】特開２００６−１８７２１号公報
【発明の概要】
【発明が解決しようとする課題】
【０００４】
本発明が解決しようとする課題は、電子帳票に対して誤って設定されたマスタ情報を検知することができる誤設定検知システム、連携装置及び誤設定検知方法を提供することである。
【課題を解決するための手段】
【０００５】
実施形態の誤設定検知システムは、マスタ記憶部と設定部と送信制御部とを持つ。マスタ記憶部は、電子帳票の入力項目の定義を示す帳票定義情報毎に、前記帳票定義情報で用いられる１以上の項目情報の組み合せであるマスタ情報を、前記マスタ情報を示すクラスタＩＤと対応付けて記憶する。設定部は、前記帳票定義情報に設定された前記クラスタＩＤに対応する前記マスタ情報に含まれる前記項目情報を前記帳票定義情報に設定し、表示装置に表示させる。送信制御部は、前記クラスタＩＤに対応する前記マスタ情報を前記設定部へ送信する。
【図面の簡単な説明】
【０００６】
【図１】実施形態の誤設定検知システム１のシステム構成を表すシステム構成図。
【図２】実施形態の端末１００の機能構成を表す機能構成図。
【図３】実施形態の帳票管理装置２００の機能構成を表す機能構成図。
【図４】実施形態の連携装置３００の機能構成を表す機能構成図。
【図５】実施形態のデータ管理装置４００の機能構成を表す機能構成図。
【図６】実施形態の通信装置５００の機能構成を表す機能構成図。
【図７】実施形態の帳票定義情報の具体例を示す図。
【図８】実施形態のクラスタＩＤが設定された帳票定義情報の具体例を示す図。
【図９】実施形態のクラスタＩＤテーブルの具体例を示す図。
【図１０】実施形態のクラスタＩＤに基づいて帳票定義上に場所が設定された場合の具体例を示す図。
【図１１】実施形態のクラスタＩＤに基づいて設定される場所の値と項目情報の値とを判定した結果を示す図。
【図１２】実施形態のクラスタＩＤに基づいて帳票定義情報上に設備機器が設定された場合の具体例を示す図。
【図１３】実施形態のクラスタＩＤに基づいて設定される設備機器の値と項目情報の値とを判定した結果を示す図。
【図１４】実施形態のクラスタＩＤに基づいて帳票定義情報上に点検項目が設定された場合の具体例を示す図。
【図１５】実施形態のクラスタＩＤに基づいて設定される点検項目の値と項目情報の値とを判定した結果を示す図。
【図１６】実施形態の誤設定検知の処理の流れを示すフローチャート。
【図１７】実施形態の誤設定検知の処理の流れを示すフローチャート。
【発明を実施するための形態】
【０００７】
以下、実施形態の誤設定検知システム、連携装置及び誤設定検知方法を、図面を参照して説明する。
【０００８】
図１は、実施形態の誤設定検知システム１のシステム構成を表すシステム構成図である。誤設定検知システム１は、ネットワーク６００を介して互いに通信可能に接続される端末１００、帳票管理装置２００、連携装置３００、データ管理装置４００及び通信装置５００を備える。ネットワーク６００は、どのようなネットワークで構築されてもよい。例えば、ネットワーク６００は、インターネットで構成されてもよい。ネットワーク６００は通信網の一態様である。
【０００９】
端末１００は、パーソナルコンピュータ、タブレットコンピュータ又はスマートフォン等の情報処理装置である。端末１００は、ユーザからの操作に応じて、帳票定義情報を生成する。帳票定義情報は、電子帳票の入力項目の定義を示すデータである。帳票定義情報は、点検業務によりフォーマットが異なる。電子帳票は、帳票定義情報に基づいて生成される。例えば、電子帳票には点検業務における点検結果が入力されてもよい。端末１００は、ネットワーク６００を介して帳票管理装置２００、連携装置３００、データ管理装置４００又は通信装置５００と通信可能に接続される。
【００１０】
帳票管理装置２００は、パーソナルコンピュータ又はサーバ等の情報処理装置である。帳票管理装置２００は、帳票定義情報と点検結果が入力された電子帳票とを記憶する。帳票管理装置２００は、ネットワーク６００を介して端末１００及び通信装置５００と通信可能に接続される。帳票管理装置２００は、連携装置３００を介してデータ管理装置４００と通信可能に接続される。
【００１１】
連携装置３００は、パーソナルコンピュータ又はサーバ等の情報処理装置である。連携装置３００は、帳票管理装置２００及びデータ管理装置４００の間の電子帳票の送受信を行う。連携装置３００は、帳票定義情報に設定されたクラスタＩＤに基づいて、データ管理装置４００に記憶されるマスタ情報が正しいか否か判定する。連携装置３００は、ネットワーク６００を介して端末１００及び通信装置５００と通信可能に接続される。
【００１２】
データ管理装置４００は、パーソナルコンピュータ又はサーバ等の情報処理装置である。データ管理装置４００は、クラスタＩＤのマスタ情報と点検結果が入力された電子帳票とを記憶する。データ管理装置４００は、ネットワーク６００を介して端末１００及び通信装置５００と通信可能に接続される。データ管理装置４００は、連携装置３００を介して帳票管理装置２００と通信可能に接続される。
【００１３】
通信装置５００は、パーソナルコンピュータ又はタブレットコンピュータ又はスマートフォン等の情報処理装置である。通信装置５００は、帳票定義情報に基づいて、電子帳票を生成する。ユーザは、通信装置５００を操作して、電子帳票に点検結果を入力する。通信装置５００は、ネットワーク６００を介して端末１００、帳票管理装置２００、連携装置３００又はデータ管理装置４００と通信可能に接続される。
【００１４】
図２は、実施形態の端末１００の機能構成を表す機能構成図である。端末１００は、バスで接続されたＣＰＵ（Central Processing Unit）やメモリや補助記憶装置などを備える。端末１００は、誤設定検知プログラムを実行することによって、通信部１０１、操作部１０２、表示部１０３、システム制御部１１０を備える装置として機能する。なお、誤設定検知プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ、半導体記憶装置（例えばＳＳＤ：Solid State Drive）等の可搬媒体、コンピュータシステムに内蔵されるハードディスクや半導体記憶装置等の記憶装置である。誤設定検知プログラムは、電気通信回線を介して送信されてもよい。
【００１５】
通信部１０１は、ネットワークインタフェースである。通信部１０１はネットワーク６００を介して帳票管理装置２００、連携装置３００、データ管理装置４００又は通信装置５００と通信する。
【００１６】
操作部１０２は、タッチパネル、マウス及びキーボード等の入力装置を用いて構成される。操作部１０２は、入力装置を端末１００に接続するためのインタフェースであってもよい。この場合、操作部１０２は、入力装置において入力された入力信号から入力データ（例えば、端末１００に対する指示を示す指示情報）を生成し、端末１００に入力する。
【００１７】
表示部１０３は、ＣＲＴ（Cathode Ray Tube）ディスプレイ、液晶ディスプレイ、有機ＥＬ（Electro Luminescence）ディスプレイ等の出力装置である。表示部１０３は、出力装置を端末１００に接続するためのインタフェースであってもよい。この場合、表示部１０３は、映像データから映像信号を生成し自身に接続されている映像出力装置に映像信号を出力する。
【００１８】
システム制御部１１０は、端末１００の各部の動作を制御する。システム制御部１１０は、例えばＣＰＵ及びＲＡＭ（Random Access Memory）を備えた装置により実行される。システム制御部１１０は、誤設定検知プログラムを実行することによって、帳票定義生成部１１１として機能する。
【００１９】
帳票定義生成部１１１は、ユーザからの操作に応じて帳票定義情報を生成する。帳票定義生成部１１１は、生成された帳票定義情報にクラスタＩＤを設定する。クラスタＩＤは、マスタ情報を示す識別子である。クラスタＩＤは、例えば、１、２又は３等の互いに異なる数字で表されてもよい。マスタ情報は、データ管理装置４００のマスタ記憶部４０３に記憶される。マスタ情報は、電子帳票の入力項目の定義を示す帳票定義情報毎に、帳票定義情報で用いられる１以上の項目情報の組み合せである。マスタ情報は、電子帳票に入力された情報（例えば、点検結果）の分析に用いられるデータである。マスタ情報は、帳票定義情報ごとに異なってもよい。マスタ情報は、例えば、場所、設備機器又は点検項目等の帳票定義情報に含まれる情報であってもよい。マスタ情報は、点検者、気温、天候又は備考等の帳票定義情報に含まれない情報を有していてもよい。
【００２０】
図３は、実施形態の帳票管理装置２００の機能構成を表す機能構成図である。帳票管理装置２００は、バスで接続されたＣＰＵやメモリや補助記憶装置などを備える。帳票管理装置２００は、誤設定検知プログラムを実行することによって、通信部２０１、帳票記憶部２０２、連携通信部２０３及び制御部２０４を備える装置として機能する。なお、誤設定検知プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ、半導体記憶装置等の可搬媒体、コンピュータシステムに内蔵されるハードディスクや半導体記憶装置等の記憶装置である。誤設定検知プログラムは、電気通信回線を介して送信されてもよい。
【００２１】
通信部２０１は、ネットワークインタフェースである。通信部２０１はネットワーク６００を介して端末１００又は通信装置５００と通信する。
【００２２】
帳票記憶部２０２は、磁気ハードディスク装置や半導体記憶装置等の記憶装置を用いて構成される。帳票記憶部２０２は、帳票定義情報と点検結果が入力された電子帳票とを記憶する。
【００２３】
連携通信部２０３は、ネットワークインタフェースである。連携通信部２０３は連携装置３００を介してデータ管理装置４００と通信する。
【００２４】
制御部２０４は、帳票管理装置２００の各部の動作を制御する。制御部２０４は、帳票定義情報と点検結果が入力された電子帳票とを帳票記憶部２０２に記憶させる。制御部２０４は、帳票記憶部２０２に記憶された電子帳票を連携通信部２０３を介してデータ管理装置４００へ送信する。制御部２０４は、帳票記憶部２０２に記憶された帳票定義情報を連携通信部２０３を介して連携装置３００へ送信する。
【００２５】
図４は、実施形態の連携装置３００の機能構成を表す機能構成図である。連携装置３００は、バスで接続されたＣＰＵやメモリや補助記憶装置などを備える。連携装置３００は、連携制御プログラムを実行することによって、通信部３０１、第１連携通信部３０２、第２連携通信部３０３及び連携制御部３１０を備える装置として機能する。なお、連携制御プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ、半導体記憶装置等の可搬媒体、コンピュータシステムに内蔵されるハードディスクや半導体記憶装置等の記憶装置である。連携制御プログラムは、電気通信回線を介して送信されてもよい。
【００２６】
通信部３０１は、ネットワークインタフェースである。通信部３０１はネットワーク６００を介して端末１００又は通信装置５００と通信する。
【００２７】
第１連携通信部３０２は、ネットワークインタフェースである。第１連携通信部３０２は帳票管理装置２００と通信する。第２連携通信部３０３は、ネットワークインタフェースである。第２連携通信部３０３はデータ管理装置４００と通信する。
【００２８】
連携制御部３１０は、連携装置３００の各部の動作を制御する。連携制御部３１０は、例えばＣＰＵ及びＲＡＭを備えた装置により実行される。連携制御部３１０は、連携制御プログラムを実行することによって、連携処理部３１１、設定部３１２及び判定部３１３として機能する。
【００２９】
連携処理部３１１は、電子帳票に設定されるクラスタＩＤに応じて、データ管理装置４００のマスタ記憶部４０３からマスタ情報を取得する。連携処理部３１１は、取得したマスタ情報と電子帳票に入力された点検結果とを対応付けて、分析データを生成する。連携処理部３１１は、分析データをデータ管理装置４００へ送信する。分析データは、例えば、ユーザが点検結果を分析するために生成されるデータである。
【００３０】
設定部３１２は、帳票定義情報に設定されるクラスタＩＤに応じて取得されたマスタ情報に含まれる項目情報を、帳票定義情報に設定する。設定部３１２は、設定した項目情報を表示装置に表示させる。項目情報は、例えば、場所、設備機器又は点検項目等の帳票定義情報に含まれる情報であってもよい。
【００３１】
判定部３１３は、設定部３１２によって設定される項目情報と帳票定義情報に含まれる項目情報とが所定の条件を満たすか否か判定する。所定の条件は、例えば、設定部３１２によって設定される項目情報と帳票定義情報に含まれる項目情報とが一致する等であってもよい。また、所定の条件は、例えば、設定部３１２によって設定される項目情報と項目情報とが所定の文字数（例えば、３文字）だけ一致する等であってもよい。
【００３２】
図５は、実施形態のデータ管理装置４００の機能構成を表す機能構成図である。データ管理装置４００は、バスで接続されたＣＰＵやメモリや補助記憶装置などを備える。データ管理装置４００は、誤設定検知プログラムを実行することによって、通信部４０１、分析データ記憶部４０２、マスタ記憶部４０３、連携通信部４０４及び制御部４０５を備える装置として機能する。なお、誤設定検知プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ、半導体記憶装置等の可搬媒体、コンピュータシステムに内蔵されるハードディスクや半導体記憶装置等の記憶装置である。誤設定検知プログラムは、電気通信回線を介して送信されてもよい。
【００３３】
通信部４０１は、ネットワークインタフェースである。通信部４０１はネットワーク６００を介して端末１００又は通信装置５００と通信する。
【００３４】
分析データ記憶部４０２は、磁気ハードディスク装置や半導体記憶装置等の記憶装置を用いて構成される。分析データ記憶部４０２は、連携装置３００から受信した分析データを記憶する。
【００３５】
マスタ記憶部４０３は、磁気ハードディスク装置や半導体記憶装置等の記憶装置を用いて構成される。マスタ記憶部４０３はクラスタＩＤテーブルを記憶する。クラスタＩＤテーブルは、クラスタＩＤレコードを有する。クラスタＩＤレコードにはクラスタＩＤ及びマスタ情報が格納される。
【００３６】
連携通信部４０４は、ネットワークインタフェースである。連携通信部４０４は連携装置３００を介して帳票管理装置２００と通信する。
【００３７】
制御部４０５は、データ管理装置４００の各部の動作を制御する。制御部４０５は、連携装置３００から受信した分析データを分析データ記憶部４０２に記憶させる。制御部４０５は、クラスタＩＤを受付けると、クラスタＩＤに対応するマスタ情報を所定の装置へ送信する。所定の装置は、例えば、連携装置３００であってもよいし、他の装置であってもよい。制御部４０５は送信制御部の一態様である。
【００３８】
図６は、実施形態の通信装置５００の機能構成を表す機能構成図である。通信装置５００は、バスで接続されたＣＰＵやメモリや補助記憶装置などを備える。通信装置５００は、帳票入力プログラムを実行することによって、通信部５０１、操作部５０２、表示部５０３、帳票生成部５０４及び帳票記憶部５０５を備える装置として機能する。なお、帳票入力プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ、半導体記憶装置等の可搬媒体、コンピュータシステムに内蔵されるハードディスクや半導体記憶装置等の記憶装置である。帳票入力プログラムは、電気通信回線を介して送信されてもよい。
【００３９】
通信部５０１は、ネットワークインタフェースである。通信部５０１はネットワーク６００を介して端末１００、帳票管理装置２００、連携装置３００又はデータ管理装置４００と通信する。
【００４０】
操作部５０２は、タッチパネル、マウス及びキーボード等の入力装置を用いて構成される。操作部５０２は、入力装置を通信装置５００に接続するためのインタフェースであってもよい。この場合、操作部５０２は、入力装置において入力された入力信号から入力データ（例えば、帳票生成部５０４に対する指示を示す指示情報）を生成し、通信装置５００に入力する。
【００４１】
表示部５０３は、ＣＲＴディスプレイ、液晶ディスプレイ、有機ＥＬディスプレイ等の出力装置である。表示部５０３は、出力装置を通信装置５００に接続するためのインタフェースであってもよい。この場合、表示部５０３は、映像データから映像信号を生成し自身に接続されている映像出力装置に映像信号を出力する。
【００４２】
帳票生成部５０４は、点検者からの操作に応じて、電子帳票を生成する。点検者は、生成された電子帳票に点検結果を入力する。
【００４３】
帳票記憶部５０５は、磁気ハードディスク装置や半導体記憶装置等の記憶装置を用いて構成される。帳票記憶部５０５は、帳票生成部５０４によって生成された電子帳票を記憶する。
【００４４】
図７は、実施形態の帳票定義情報の具体例を示す図である。図７の領域７００は、帳票定義情報全体の一具体例である。図７の領域７０１は、ユーザによってクラスタＩＤが設定される領域である。図７の領域７０２は、場所に関する項目情報が含まれる領域である。図７の領域７０３は、設備機器に関する項目情報が含まれる領域である。図７の領域７０４は、点検項目に関する項目情報が含まれる領域である。なお、図７に示される帳票定義情報は一具体例に過ぎない。そのため、図７とは異なる態様で帳票定義情報が構成されてもよい。
【００４５】
図８は、実施形態のクラスタＩＤが設定された帳票定義情報の具体例を示す図である。図８の領域７１１には、クラスタＩＤが設定される。
【００４６】
図９は、実施形態のクラスタＩＤテーブルの具体例を示す図である。クラスタＩＤレコードは、クラスタＩＤ、場所、設備機器及び点検項目の各値を有する。クラスタＩＤは、クラスタＩＤレコードを識別する識別子である。場所は、図７の領域７０２の場所に関する項目情報である。設備機器は、図７の領域７０３の設備機器に関する項目情報である。点検項目は、図７の領域７０４の点検項目に関する項目情報である。
【００４７】
図９に示される例では、クラスタＩＤテーブルの最上段のレコードは、クラスタＩＤの値が“１”、場所の値が“屋上”、設備機器の値が“ＦＥ−１１−１”、点検項目の値が“外観”である。従って、帳票定義情報にクラスタＩＤとして１が設定されると、１が設定された入力項目は、屋上にある、ＦＥ−１１−１の外観の点検結果が点検者によって入力されることを意味する。なお、図９に示されるクラスタＩＤテーブルは一具体例に過ぎない。そのため、図９とは異なる態様でクラスタＩＤテーブルが構成されてもよい。
【００４８】
図１０は、実施形態のクラスタＩＤに基づいて帳票定義情報上に場所が設定された場合の具体例を示す図である。図１０の領域７２１は、領域７２１に設定されたクラスタＩＤに基づいて、クラスタＩＤテーブルから取得された場所の値が表示される領域である。値は、設定部３１２によって設定される。図１０の領域７２２は、帳票定義情報が有する場所に関する項目情報の値が含まれる領域である。
【００４９】
図１１は、実施形態のクラスタＩＤに基づいて設定される場所の値と項目情報の値とを判定した結果を示す図である。図１１の領域７２１ａは、図１０の領域７２１に設定された場所の値と図１１の領域７２２の項目情報の値とが判定部３１３によって判定された結果が表示される領域である。領域７２１ａによると、判定の結果、場所の値に関しては正しく設定されている。
【００５０】
図１２は、実施形態のクラスタＩＤに基づいて帳票定義情報上に設備機器が設定された場合の具体例を示す図である。図１２の領域７３１は、領域７３１に設定されたクラスタＩＤに基づいて、クラスタＩＤテーブルから取得された設備機器の値が表示される領域である。値は、設定部３１２によって設定される。図１２の領域７３３は、帳票定義情報が有する設備機器に関する項目情報の値が含まれる領域である。
【００５１】
図１３は、実施形態のクラスタＩＤに基づいて設定される設備機器の値と項目情報の値とを判定した結果を示す図である。図１３の領域７３１ａは、図１３の領域７３１に設定された設備機器の値と図１３の領域７３３の項目情報の値とが判定部３１３によって判定された結果が表示される領域である。領域７３１ａによると、判定の結果、クラスタＩＤが２０の設備機器の値に誤ってＦＥ−ＰＨが設定されたことが検出される。
【００５２】
図１４は、実施形態のクラスタＩＤに基づいて帳票定義情報上に点検項目が設定された場合の具体例を示す図である。図１４の領域７４１は、領域７４１に設定されたクラスタＩＤに基づいて、クラスタＩＤテーブルから取得された点検項目の値が表示される領域である。値は、設定部３１２によって設定される。図１４の領域７４４は、帳票定義情報が有する点検項目に関する項目情報の値が含まれる領域である。
【００５３】
図１５は、実施形態のクラスタＩＤに基づいて設定される点検項目の値と項目情報の値とを判定した結果を示す図である。図１５の領域７４１ａは、図１５の領域７４１に設定された点検項目の値と図１５の領域７４４の項目情報の値とが判定部３１３によって判定された結果が表示される領域である。領域７４１ａによると、判定の結果、クラスタＩＤが９の点検項目の値が空欄であることが検出される。さらに、クラスタＩＤが２３の点検項目の値に誤って外観が設定されたことが検出される。
【００５４】
図１６及び図１７は、実施形態の誤設定検知の処理の流れを示すフローチャートである。帳票管理装置２００は予め帳票定義情報を記憶している。まず、連携装置３００は、帳票管理装置２００に帳票定義情報を要求する（ステップＳ１０１）。帳票管理装置２００は、帳票定義情報を連携装置３００へ送信する（ステップＳ１０２）。連携装置３００は、帳票定義情報を端末１００へ送信する（ステップＳ１０３）。端末１００の表示部１０３は、帳票定義情報を表示する（ステップＳ１０４）。端末１００の操作部１０２は、ユーザの操作に応じて、クラスタＩＤ設定指示を連携装置３００へ送信する（ステップＳ１０５）。連携装置３００は、帳票定義情報にクラスタＩＤを設定する（ステップＳ１０６）。端末１００は、判定部３１３によって判定される項目情報をユーザから受付ける（ステップＳ１０７）。端末１００は、受け付けた判定項目を連携装置３００へ送信する（ステップＳ１０８）。
【００５５】
連携装置３００は、受付けた項目情報が場所か否か判定する（ステップＳ１０９）。項目情報が場所である場合（ステップＳ１０９：ＹＥＳ）、ステップＳ１１０〜ステップＳ１１５を実行する。連携装置３００は、クラスタＩＤをデータ管理装置４００へ送信する（ステップＳ１１０）。データ管理装置４００は、クラスタＩＤに対応するマスタ情報から場所の値を連携装置３００へ送信する（ステップＳ１１１）。連携装置３００の設定部３１２は、帳票定義情報に場所の値を設定する（ステップＳ１１２）。連携装置３００は、設定された場所の値に基づいて、端末１００に場所表示指示を送信する（ステップＳ１１３）。端末１００の表示部１０３は、帳票定義情報に場所を表示する（ステップＳ１１４）。端末１００の処理は、ステップＳ１２９へ遷移する（ステップＳ１１５）。
【００５６】
項目情報が場所でない場合（ステップＳ１０９：ＮＯ）、連携装置３００は、受付けた項目情報が設備機器か否か判定する（ステップＳ１１６）。項目情報が設備機器である場合（ステップＳ１１６：ＹＥＳ）、ステップＳ１１７〜ステップＳ１２２を実行する。連携装置３００は、クラスタＩＤをデータ管理装置４００へ送信する（ステップＳ１１７）。データ管理装置４００は、クラスタＩＤに対応するマスタ情報から設備機器の値を連携装置３００へ送信する（ステップＳ１１８）。連携装置３００の設定部３１２は、帳票定義情報に設備機器の値を設定する（ステップＳ１１９）。連携装置３００は、設定された場所の値に基づいて、端末１００に設備機器表示指示を送信する（ステップＳ１２０）。端末１００の表示部１０３は、帳票定義情報に設備機器を表示する（ステップＳ１２１）。端末１００の処理は、ステップＳ１２９へ遷移する（ステップＳ１２２）。
【００５７】
項目情報が設備機器でない場合（ステップＳ１１６：ＮＯ）、連携装置３００は、受付けた項目情報が点検項目か否か判定する（ステップＳ１２３）。項目情報が点検項目である場合（ステップＳ１２３：ＹＥＳ）、連携装置３００は、クラスタＩＤをデータ管理装置４００へ送信する（ステップＳ１２４）。データ管理装置４００は、クラスタＩＤに対応するマスタ情報から点検項目の値を連携装置３００へ送信する（ステップＳ１２５）。連携装置３００の設定部３１２は、帳票定義情報に点検項目の値を設定する（ステップＳ１２６）。連携装置３００は、設定された場所の値に基づいて、端末１００に点検項目表示指示を送信する（ステップＳ１２７）。端末１００の表示部１０３は、帳票定義情報に点検項目を表示する（ステップＳ１２８）。
【００５８】
端末１００は、ユーザから誤設定判定指示を受付ける（ステップＳ１２９）。端末１００は、誤設定判定指示を連携装置３００へ送信する（ステップＳ１３０）。連携装置３００の判定部３１３は、帳票定義情報上に設定された項目情報の値（例えば、場所、設備機器又は点検項目）と帳票定義情報が有する項目情報の値とが所定の条件を満たすか否か判定する（ステップＳ１３１）。連携装置３００は、端末１００に判定結果を送信する（ステップＳ１３２）。端末１００の表示部１０３は、受信した判定結果を表示する（ステップＳ１３３）。
【００５９】
このように構成された誤設定検知システムでは、帳票定義情報に設定されるクラスタＩＤによって、マスタ情報の取得が行われる。そのため、帳票定義情報の項目情報とマスタ情報との比較が可能となり、マスタ情報に誤った設定がされている場合、誤設定を検知することができる。
【００６０】
連携装置３００の判定部３１３は、判定の結果、誤設定を検知した場合、マスタ記憶部４０３に記憶されるマスタ情報が修正されるように構成されてもよい。このように構成されることで、誤設定の修正漏れを防止でき、設定を誤った状態で点検業務を行うことを防止できる。
【００６１】
以上説明した少なくともひとつの実施形態によれば、クラスタＩＤによって特定されるマスタ情報と帳票定義情報に含まれる項目情報が所定の条件を満たすか否か判定する判定部を持つことにより、電子帳票に対して誤って設定されたマスタ情報を検知することができる。
【００６２】
＜変形例＞
実施形態の誤設定検知システムでは、判定部３１３は、帳票定義情報に設定された項目情報が所定の条件を満たすか否か判定してもよい。所定の条件とは、例えば、項目情報と帳票定義情報上の任意の情報とが一致する等のどのような条件であってもよい。
【００６３】
実施形態の誤設定検知システムでは、端末１００が、設定部３１２及び判定部３１３を備えていてもよいし、データ管理装置４００が、設定部３１２及び判定部３１３を備えていてもよい。また、設定部３１２及び判定部３１３は、誤設定検知システムを構成するいかなる装置に備えられていてもよい。
【００６４】
実施形態の誤設定検知システムでは、端末１００が、マスタ記憶部４０３及び制御部４０５を備えていてもよいし、連携装置３００が、マスタ記憶部４０３及び制御部４０５を備えていてもよい。また、マスタ記憶部４０３及び制御部４０５は、誤設定検知システムを構成するいかなる装置に備えられていてもよい。
【００６５】
実施形態の誤設定検知システムでは、設定部３１２は、データ管理装置４００から送信されたマスタ情報に基づいて、帳票定義情報のクラスタＩＤ毎にマスタ情報に含まれる前記項目情報を表示装置に表示させてもよい。表示装置は、端末１００が備える表示部１０３であってもよいし、誤設定検知システムを構成するいかなる装置に備えられてもよい。
【００６６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６７】
１…誤設定検知システム１、１００…端末、１０１…通信部、１０２…操作部、１０３…表示部、１１０…システム制御部、１１１…帳票定義生成部、２００…帳票管理装置、２０１…通信部、２０２…帳票記憶部、２０３…連携通信部、２０４…制御部、３００…連携装置、３０１…通信部、３０２…第１連携通信部、３０３…第２連携通信部、３１０…連携制御部、３１１…連携処理部、３１２…設定部、３１３…判定部、４００…データ管理装置、４０１…通信部、４０２…分析データ記憶部、４０３…マスタ記憶部、４０４…連携通信部、４０５…制御部、５００…通信装置、５０１…通信部、５０２…操作部、５０３…表示部、５０４…帳票生成部、５０５…帳票記憶部
【図１】
2018067152.tif 000003
【図２】
2018067152.tif 000004
【図３】
2018067152.tif 000005
【図４】
2018067152.tif 000006
【図５】
2018067152.tif 000007
【図６】
2018067152.tif 000008
【図７】
2018067152.tif 000009
【図８】
2018067152.tif 000010
【図９】
2018067152.tif 000011
【図１０】
2018067152.tif 000012
【図１１】
2018067152.tif 000013
【図１２】
2018067152.tif 000014
【図１３】
2018067152.tif 000015
【図１４】
2018067152.tif 000016
【図１５】
2018067152.tif 000017
【図１６】
2018067152.tif 000018
【図１７】
2018067152.tif 000019